(57)【要約】【課題】トッププレートに操作部を有する誘導過熱調理器において、操作部への入力を安定して正しく検出するとともに、組立て性及びメンテナンス性を向上させる。【解決手段】誘導加熱コイル及び誘導加熱コイルを制御する制御部を有した本体ケース１０と、本体ケース１０を覆うトッププレート５０とを備えた誘導加熱調理器において、トッププレート５０に操作部２１を設けると共に、制御部に接続され、操作部２１の操作を非接触で検出するセンサ部５２を設け、センサ部５２を本体ケース１０側に支持されたセンサ支持プレート５３に支持し、センサ支持プレート５３を、トッププレート５０側に付勢して、操作部２１の操作キー部２７からセンサ部５２までの距離を、略一定に保持する距離保持手段６０を備えた。【選択図】図５
2010277891.tif 000002
【特許請求の範囲】
【請求項１】
誘導加熱コイル及び前記誘導加熱コイルを制御する制御部を有した調理器本体と、前記調理器本体を覆うトッププレートとを備えた誘導加熱調理器において、
前記トッププレートに操作部を設けると共に、前記制御部に接続され、前記操作部の操作を非接触で検出するセンサ部を設け、
前記センサ部を前記調理器本体側に支持されたセンサ支持プレートに支持し、
前記センサ支持プレートを、前記トッププレート側に付勢して、前記操作部から前記センサ部までの距離を、略一定に保持する距離保持手段を備えたことを特徴とする誘導加熱調理器。
【請求項２】
前記距離保持手段は、前記調理器本体側に設けられ、前記センサ支持プレートが載置されるフランジ部を備え、該フランジ部と前記センサ支持プレート間に介在し、前記センサ支持プレートを、前記トッププレート側に付勢する弾性部材を備えたことを特徴とする請求項１に記載の誘導加熱調理器。
【請求項３】
前記調理器本体側には、前記センサ支持プレートを支持する支持体を備え、
該支持体は、前記誘導加熱コイルの制御情報を前記トッププレートの表面側から目視可能に表示する表示手段を備えたことを特徴とする請求項１または２に記載の誘導加熱調理器。
【請求項４】
前記調理器本体側には、前記トッププレートの表面に配置される回転式操作部を、磁力によって、該トッププレートを挟んで吸着可能な磁石が配置され、
該磁石は、磁石支持プレートに支持され、該磁石支持プレートは前記回転式操作部の操作を検出する回転操作検出センサを有し、
前記磁石支持プレートは、前記センサ支持プレートを支持する支持体に、浮き上がり可能に支持されたことを特徴とする請求項１ないし３のいずれか一項に記載の誘導加熱調理器。
【請求項５】
前記トッププレートの前縁部に引掛け部を備え、
該トッププレートは、該引掛け部を前記調理器本体の前記フランジ部に引掛けて、後縁部を前記調理器本体にねじ止めして固定したことを特徴とする請求項２ないし４のいずれか一項に記載の誘導加熱調理器。
【発明の詳細な説明】
【技術分野】
【０００１】
本発明は、トッププレートに操作部を有する誘導加熱調理器に関する。
【背景技術】
【０００２】
従来、調理器本体の天面に設けられるトッププレートの上面に操作部を設け、この操作部の下方に操作部への入力を検出する静電容量式のセンサ部を配置し、センサ部に接続されると共に調理器本体側に設けられた制御部によって操作部への入力を処理する誘導過熱調理器が知られている（例えば、特許文献１参照）。
【特許文献１】特開２００７−２２７３９６号公報
【発明の開示】
【発明が解決しようとする課題】
【０００３】
ところで、上記従来のような誘導過熱調理器では、操作部への入力を安定して正しく検出するためには、上記トッププレートの操作部と上記センサ部との間の距離を正しく管理する必要があり、トッププレートの下面にセンサ部を直接取り付けることが考えられる。この場合、センサ部と制御部とを接続する配線が邪魔になり、組立て作業がやり難く、また、メンテナンス時にトッププレートを取り外す際に、上記配線に無理な力を加えてしまう虞があった。
【０００４】
本発明は、上述した事情に鑑みてなされたものであり、トッププレートに操作部を有する誘導過熱調理器において、操作部への入力を安定して正しく検出するとともに、組立て性及びメンテナンス性を向上させることを目的とする。
【課題を解決するための手段】
【０００５】
上記課題を解決するため、本発明は、誘導加熱コイル及び前記誘導加熱コイルを制御する制御部を有した調理器本体と、前記調理器本体を覆うトッププレートとを備えた誘導加熱調理器において、前記トッププレートに操作部を設けると共に、前記制御部に接続され、前記操作部の操作を非接触で検出するセンサ部を設け、前記センサ部を前記調理器本体側に支持されたセンサ支持プレートに支持し、前記センサ支持プレートを、前記トッププレート側に付勢して、前記操作部から前記センサ部までの距離を、略一定に保持する距離保持手段を備えたことを特徴とする。
この構成によれば、調理器本体側に支持したセンサ支持プレートを、距離保持手段によってトッププレート側に付勢して、トッププレートの操作部からセンサ部までの距離を略一定に保持できる。これにより、操作部の操作をセンサ部によって安定して正しく検出することができる。また、センサ部が調理器本体側に支持されると共に調理器本体内に配置された制御部に接続されているため、センサ部と制御部との間の接続がトッププレートを調理器本体に取り付け及び取り外しする際に影響することが無く、誘導加熱調理器の組立て性及びメンテナンス性を向上できる。また、調理器本体側にセンサ部を支持したため、トッププレートにセンサ部を支持する必要が無く、トッププレートを簡単な構造にできる。
【０００６】
上記構成において、前記距離保持手段は、前記調理器本体側に設けられ、前記センサ支持プレートが載置されるフランジ部を備え、該フランジ部と前記センサ支持プレート間に介在し、前記センサ支持プレートを、前記トッププレート側に付勢する弾性部材を備えても良い。
この場合、調理器本体側に設けられ、センサ支持プレートが載置されるフランジ部とセンサ支持プレートとの間に弾性部材を介在させることでセンサ支持プレートをトッププレート側に付勢でき、弾性部材を介在させる簡単な構造でセンサ支持プレートを付勢して、操作部からセンサ部までの距離を略一定に保持できる。
【０００７】
また、前記調理器本体側には、前記センサ支持プレートを支持する支持体を備え、該支持体は、前記誘導加熱コイルの制御情報を前記トッププレートの表面側から目視可能に表示する表示手段を備えても良い。
この場合、誘導加熱コイルの制御情報を表示する表示手段を備えた支持体にセンサ支持プレートを支持するため、センサ支持プレートを支持するための専用の支持部材を設けることなく、センサ支持プレートを調理器本体側に支持できる。
【０００８】
また、前記調理器本体側には、前記トッププレートの表面に配置される回転式操作部を、磁力によって、該トッププレートを挟んで吸着可能な磁石が配置され、該磁石は、磁石支持プレートに支持され、該磁石支持プレートは前記回転式操作部の操作を検出する回転操作検出センサを有し、前記磁石支持プレートは、前記センサ支持プレートを支持する支持体に、浮き上がり可能に支持されても良い。
この場合、回転操作検出センサを有する磁石支持プレートが、回転式操作部を吸着可能な磁石を備えると共に、センサ支持プレートを支持する支持体に浮き上がり可能に支持されているため、磁力によって磁石支持プレートがトッププレートを挟んで回転式操作部に吸着される。これにより、回転式操作部と回転操作検出センサとの間の距離を適正な距離に保つことができ、回転式操作部の操作を回転操作検出センサによって安定して正しく検出することができる。
【０００９】
さらに、前記トッププレートの前縁部に引掛け部を備え、該トッププレートは、該引掛け部を前記調理器本体の前記フランジ部に引掛けて、後縁部を前記調理器本体にねじ止めして固定しても良い。
この場合、トッププレートの前縁部の引掛け部をフランジ部に引掛けるだけで前縁部を簡単に固定でき、後縁部を調理器本体にねじ止めして確実に固定し、トッププレートを調理器本体に簡単かつ確実に固定できる。また、引掛け部をフランジ部に引掛けてトッププレートの前縁部を固定するため、ねじ等によって締め込み過ぎたりすることが無く、均一な力でトッププレートを固定できる。これにより、センサ支持プレートとフランジ部との間に位置する弾性部材を均一にトッププレート側に付勢でき、トッププレート表面からセンサ部までの距離を略一定に保持できる。
【発明の効果】
【００１０】
本発明によれば、トッププレートに操作部を有する誘導過熱調理器において、操作部への入力を安定して正しく検出するとともに、組立て性及びメンテナンス性を向上させることができる。
【発明を実施するための最良の形態】
【００１１】
以下、図面を参照して本発明の実施の形態について説明する。
図１は、本発明の実施形態に係る誘導加熱調理器を示す斜視図である。
誘導加熱調理器１はシステムキッチン等の調理台に組み込まれて使用されるビルトイン型の加熱調理器である。誘導加熱調理器１は、上面が開口した箱型の本体ケース１０（調理器本体）内に、熱源としての複数の誘導加熱コイル１１、１２、１３と、内部に収容した被加熱物をヒータ（図示略）により加熱するグリル室５とが配置され、本体ケース１０の上面の開口が耐熱ガラス製の矩形のトッププレート５０で覆われて構成されている。トッププレート５０の外周縁は、その全周に嵌め込まれるようにして取り付けられる外枠５１によって囲われている。
誘導加熱コイル１１、１２はそれぞれ本体ケース１０内に左右に並べて配置され、誘導加熱コイル１３は、誘導加熱コイル１１、１２の間の幅方向中央において本体ケース１０内の後部に配置されている。グリル室５は、本体ケース１０の左部に配置された誘導加熱コイル１１及び中央の誘導加熱コイル１３の下方に設けられている。
【００１２】
トッププレート５０には、各誘導加熱コイル１１、１２、１３に対応した位置にステンレス製の鍋等の被加熱物が載置される加熱調理部１４、１５、１６が設けられ、加熱調理部１４、１５、１６は円形の表示がトッププレート５０に印刷されてその位置が示されている。
トッププレート５０の前縁部５０Ａには、各誘導加熱コイル１１、１２、１３の前方側に、各誘導加熱コイル１１、１２、１３に対応した操作部２１が左右方向に一列に並ぶようにして３箇所に設けられている。各操作部２１は、ユーザによりタッチ操作される複数の操作キー部２７を有し、各操作キー部２７への指等の接触や近接による静電容量の変化により入力操作を検出する静電容量式の操作部である。操作キー部２７は、各操作領域を示す表示がトッププレート５０に印刷されてトッププレート５０の表面に現われている。
【００１３】
各誘導加熱コイル１１、１２、１３は、各操作部２１の操作によって供給される電流が変更され、火力や加熱時間等が設定される。各操作部２１の後部側には、各誘導加熱コイル１１、１２、１３の運転状態や操作状態を示す制御情報を透明な窓を介して表示する表示窓２２がそれぞれ設けられている。また、中央の表示窓２２の後部側には、誘導加熱調理器１の運転状態をＬＥＤの点灯によって表示するＬＥＤ表示部２３が設けられている。
さらに、トッププレート５０の前部において各操作部２１の外側に位置する左右の角部には、円板状のツマミ２４の回転によって火力や加熱時間等を操作可能な回転式操作部２５がそれぞれ設けられている。回転式操作部２５の近傍には、誘導加熱調理器１の電源投入や、収納型の操作部の操作により、レンジフードの照明や、換気扇をリモコンで動作させる赤外線送信窓２６が設けられている。
【００１４】
ツマミ２４の内部には、周方向に放射状に延びる複数の検出片を有し、ヨークとして機能する金具と、中央部に配置される磁石２４Ａとが設けられており、ツマミ２４の回転操作は、トッププレート５０の下方に設けられたホールＩＣ３９（図２参照）が上記金具の回転、すなわち、検出片の回転を検出することで検知される。また、ツマミ２４はトッププレート５０の下方に設けられた磁石と磁石２４Ａとが引き合うことにより本体ケース１０側に吸着されて取り付けられ、着脱自在となっている。
【００１５】
トッププレート５０の後縁部５０Ｂの側において一方（本実施形態では右側）の誘導加熱コイル１２の後方には、トッププレート５０の上面と連続するようにして吸気口３１が設けられており、この吸気口３１から吸気された空気によって本体ケース１０内が冷却される。また、他方（左側）の誘導加熱コイル１１の後方には吸気口３１に隣接して排気口３２が設けられ、本体ケース１０内を冷却した空気が排気口３２から排出される。
【００１６】
また、本体ケース１０の前面左側には、前後に引き出し自在なグリル扉３３が設けられ、本体ケース１０の前面右側には、前後に開閉可能な操作部扉３４が設けられている。操作部扉３４は、下部化粧パネル３５Ａによって覆われている。操作部扉３４の上方には、露出面が矩形の上部化粧パネル３５Ｂが設けられ、上部化粧パネル３５Ｂには、誘導加熱調理器１の電源のオンとオフとを切り替える押しボタン式の電源ボタン３６が設けられている。下部化粧パネル３５Ａ及び上部化粧パネル３５Ｂは、着脱自在に取り付けられている。
グリル扉３３及び上部化粧パネル３５Ｂとトッププレート５０の前縁部５０Ａとの間には、後方側に窪んだ凹部２９が形成されている。誘導加熱調理器１は、凹部２９にシステムキッチンの一部が嵌め込まれるようにして設置される。
【００１７】
図２は、トッププレート５０を外した状態を示す誘導加熱調理器１の平面図である。図３は、図２におけるＡ−Ａ断面図である。
図２に示すように、本体ケース１０の上部には、左右の側壁の上部がそれぞれ外側に折り曲げられるようにして形成された天板支持部１８、及び、本体ケース１０の後壁の上部が後方に折り曲げられるようにして後部支持部１７が設けられており、トッププレート５０は、天板支持部１８及び後部支持部１７に支持される。天板支持部１８の後部側には、固定孔１９がそれぞれ形成されており、トッププレート５０は、その後縁部５０Ｂに設けられた固定部（図示略）が、各固定孔１９に挿通されるねじ（図示略）によってねじ止めされて固定される。
また、図３に示すように、凹部２９の上部には、本体ケース１０の前板１０Ａの上部が前方側に折り曲げられて突出したフランジ部３０が形成されている。トッププレート５０の前端部はフランジ部３０に支持されており、各操作キー部２７は、フランジ部３０の上方に位置している。
【００１８】
図３に示すように、誘導加熱コイル１２はトッププレート５０の直下に位置し、誘導加熱コイル１２の下方には、誘導加熱コイル１１、１２、１３に高周波電流を供給する複数のインバータ基板７０が設けられている。各インバータ基板７０は、箱状のインバータベース７１内に収容されており、インバータベース７１の後部には、吸気口３１からの空気をインバータベース７１に送風する冷却ファン７２が接続されている。インバータ基板７０を冷却した空気は、誘導加熱コイル１１、１２、１３を冷却した後、排気口３２から排気される。
本体ケース１０内の底部には、インバータ基板７０を介して誘導加熱コイル１１、１２、１３を制御する制御基板７４（制御部）が配設されている。
【００１９】
また、誘導加熱調理器１の前面の操作部扉３４の奥には、グリル室５や誘導加熱調理器１の運転の詳細な設定が可能な操作パネル２０が収容されている。操作パネル２０は、操作部扉３４の下部のヒンジ２８を中心に操作部扉３４を回動させることで外側に露出し、操作可能となる。
【００２０】
図２に示すように、本体ケース１０内の前部には、各操作部２１の操作の検出や、表示窓２２の表示を行う操作・表示部本体４５が配置されている。
図４は、操作・表示部本体４５の平面図である。
図２及び図４に示すように、各表示窓２２（図１参照）の下方には、各誘導加熱コイル１１、１２、１３の制御情報を表示する液晶部３７（表示手段）がそれぞれ配置されている。液晶部３７の表示は、トッププレート５０の透明な表示窓２２を介してトッププレート５０の表面側から目視可能になっている。また、中央の液晶部３７の後方には、ＬＥＤ表示部２３の表示をするＬＥＤ本体４６が設けられている。
左側の液晶部３７と中央の液晶部３７との間には、本体ケース１０内の制御基板７４に接続されたセンサ制御基板４７（制御部）が配置されている。
各液晶部３７及びＬＥＤ本体４６は、本体ケース１０内において、誘導加熱コイル１１、１２の前方側に設けられた支持体４０に埋め込まれるようにして備えられている。支持体４０は、本体ケース１０内の幅方向一杯に延在し、両端部には、赤外線送信窓２６を介して赤外線を送信する赤外線送信部３８がそれぞれ設けられている。また、センサ制御基板４７は、支持体４０に支持されている。
【００２１】
各赤外線送信部３８の前方側には、ツマミ２４の回転操作を検知するホールＩＣ３９（回転操作検出センサ）を有する磁石支持プレート４１がそれぞれ設けられている。各磁石支持プレート４１の中央には、ツマミ２４の磁石２４Ａを吸着するセンサ側磁石４２が設けられている。ホールＩＣ３９は、センサ側磁石４２を挟んで左右に並んで２つ配置されている。
磁石支持プレート４１は支持体４０に支持され、上下に浮き上がり可能に支持されている。すなわち、センサ側磁石４２は、ツマミ２４がトッププレート５０上に置かれることによってツマミ２４の磁石２４Ａに吸着され、磁石支持プレート４１と共に上方へスライドし、トッププレート５０の下面に密着する。これにより、ツマミ２４を取り付けた状態において、ツマミ２４とホールＩＣ３９との距離を略一定に保持することができ、ツマミ２４の操作をホールＩＣ３９によって安定して正しく検出することができる。
【００２２】
操作部２１は、トッププレート５０の下方において、各操作キー部２７（図１参照）に対応した位置に、一列に複数並べて設けられたセンサ部５２を有している。センサ部５２は、静電容量の変化により入力操作を検出する静電容量式のセンサである。ユーザが指等によりトッププレート５０表面の操作キー部２７にタッチすると、センサ部５２が操作キー部２７近傍の静電容量の変化を検出し、入力操作が検知される。すなわち、入力操作はトッププレート５０を隔てて検出され、センサ部５２は、操作キー部２７への入力操作をセンサ部５２に対して非接触で検出する。
【００２３】
センサ部５２は長尺状のセンサ支持プレート５３に配置されている。このセンサ支持プレート５３は、センサ部５２が設けられたセンサ基板５４と、センサ基板５４の下面に取り付けられる複数の支持板５５とを有している。各支持板５５は、センサ部５２の下方を支持している。また、図４に示すように、各支持板５５の下面には、シリコーンゴム製の弾性部材５６が取り付けられている。弾性部材５６は一列に並ぶセンサ部５２に沿って延在する帯状に形成され、各支持板５５の下面の前部と後部とにそれぞれ取り付けられている。
センサ支持プレート５３は、フランジ部３０に載置されると共に支持体４０に嵌め込まれるようにして本体ケース１０側に支持されている。
【００２４】
センサ基板５４は後方に突出した接続部５４Ａを有し、この接続部５４Ａはセンサ制御基板４７に接続されており、センサ部５２により検出された入力信号は、センサ制御基板４７を介して制御基板７４に伝達される。
【００２５】
図５は、図２におけるＢ−Ｂ断面を示す断面図であり、トッププレート５０が取り付けられた状態を示している。
トッププレート５０の前縁部５０Ａ近傍には、トッププレート５０の表面の操作キー部２７とセンサ部５２との距離を略一定に保持する距離保持手段６０が設けられている。距離保持手段６０は、フランジ部３０と、弾性部材５６と、外枠５１とを備えて構成されている。
【００２６】
図５に示すように、フランジ部３０の前端には、外枠５１が引掛けられる爪部６１が形成されている。爪部６１は、フランジ部３０の前端を上方に折り曲げた後、前方に水平に折り曲げて水平部６１Ａを形成し、さらに、水平部６１Ａの先端を前下がりに曲げて傾斜部６１Ｂを形成して構成されている。
トッププレート５０の前縁部５０Ａに嵌め込まれる外枠５１のトッププレート固定部５１Ａは、断面Ｃ状に形成されており、トッププレート５０の上面に当接する上部引掛け部６２と、フランジ部３０の爪部６１に引掛けられる下部引掛け部６３（引掛け部）とを有している。また、下部引掛け部６３及び爪部６１は、幅方向に一列に並んで配置されたセンサ部５２及び操作キー部２７に沿うように、本体ケース１０の幅方向略一杯に形成されている。
トッププレート５０の前縁部５０Ａは、フランジ部３０にセンサ支持プレート５３が載置された状態で、上部引掛け部６２と下部引掛け部６３とによって上下から挟まれることで固定されている。
【００２７】
各支持板５５は下方に突出した舌部５５Ａを有している。センサ支持プレート５３は、トッププレート５０の下面とフランジ部３０との間に狭持され、舌部５５Ａが前板１０Ａと支持体４０との間に差し込まれて取り付けられており、上下方向に力が働いた場合、上下に延在する舌部５５Ａに沿って僅かにスライド可能である。また、舌部５５Ａは、センサ支持プレート５３を各操作キー部２７の下方の位置に位置決めしている。
フランジ部３０と各支持板５５との間には、弾性部材５６が介在している。この弾性部材５６は、センサ支持プレート５３がトッププレート５０とフランジ部３０との間に狭持された状態において圧縮された状態にあり、各支持板５５を介してセンサ支持プレート５３を押し上げて、センサ支持プレート５３をトッププレート５０の下面に押し付けるように付勢している。
【００２８】
このように、弾性部材５６によってセンサ支持プレート５３を押し上げることで、センサ部５２をトッププレート５０の下面に密着させることができ、トッププレート５０表面の各操作キー部２７からセンサ部５２までの距離を略一定に保持できる。これにより、各操作キー部２７の操作をセンサ部５２によって安定して正しく検出することができる。
また、外枠５１のトッププレート固定部５１Ａ及びフランジ部３０の爪部６１は、爪部６１に下部引掛け部６３を引掛けた状態において、弾性部材５６を適度に圧縮し、かつ、トッププレート５０を確実に固定可能な固定力を得られるように設定されている。
さらに、舌部５５Ａによってセンサ支持プレート５３の移動が規制されているため、各センサ部５２を対応する各操作キー部２７の下方に位置させることができる。
【００２９】
図６は、操作・表示部本体４５を前方の下方側から見た斜視図である。図７は、センサ支持プレート５３を前方の下方側から見た斜視図である。
図６に示すように、操作・表示部本体４５は、支持体４０にセンサ支持プレート５３及び磁石支持プレート４１を取り付けて構成され、支持体４０の底部には、底部を塞ぐ底板４０Ａが設けられている。支持体４０の前壁部４０Ｂには各舌部５５Ａが嵌め込まれる嵌合部４０Ｃがそれぞれ形成されている。磁石支持プレート４１は嵌合部４０Ｃに嵌合することで、本体ケース１０の幅方向への移動が規制されている。
【００３０】
また、前壁部４０Ｂの下端には、下方に突出した突起４０Ｄが複数形成されており、支持体４０は、これら突起４０Ｄが本体ケース１０の前板１０Ａに形成された溝（図示略）に係合されて固定される。また、支持体４０は、その上面に設けられた固定部４０Ｅ（図４参照）に挿通されるねじ（図示略）によっても本体ケース１０側に固定される。
【００３１】
磁石支持プレート４１は、センサ側磁石４２を備えた矩形のプレート４１Ａの後縁部から下方に延びる板状のスライド部４１Ｂを有している。
磁石支持プレート４１を支持する支持体４０の両端の前部には、スライド部４１Ｂが嵌め込まれるスライド溝４８がそれぞれ形成されている。磁石支持プレート４１は、スライド部４１Ｂの両側縁部がスライド溝４８に嵌合され、スライド溝４８内で上下にスライド可能である。
【００３２】
図７に示すように、接続部５４Ａの下面には、接続部５４Ａをセンサ制御基板４７に接続するコネクタ４９が設けられている。センサ支持プレート５３は、センサ制御基板４７の上方からコネクタ４９をセンサ制御基板４７に挿し込むことでセンサ制御基板４７に接続される。これにより、センサ支持プレート５３は、舌部５５Ａ及びコネクタ４９を上方から本体ケース１０側に挿し込むことで簡単に接続される。また、コネクタ４９は上方から挿し込まれるため、僅かに上下に移動可能であり、弾性部材５６によってセンサ支持プレート５３が上方に押し上げられて移動した場合にも、この移動量を吸収できる。
【００３３】
図８は、トッププレート５０の取り付け方法を示す断面図である。
ここで、トッププレート５０の本体ケース１０への取り付け方法を説明する。
図８に示すように、まず、トッププレート５０をフランジ部３０の傾斜部６１Ｂの傾斜に合わせて傾け、この状態で下部引掛け部６３を傾斜部６１Ｂに当接させる。次いで、トッププレート５０の後縁部５０Ｂ側を下げ、下部引掛け部６３を水平部６１Ａに当接させた状態でトッププレート５０を後方側にスライドさせる。これにより、トッププレート５０は、下部引掛け部６３が爪部６１に引掛けられた状態で天板支持部１８に取り付けされる。その後、天板支持部１８の後部側の固定孔１９を介してトッププレート５０の後縁部５０Ｂは本体ケース１０側にねじ止め固定される。また、トッププレート５０が取り付けられた状態では、傾斜部６１Ｂによって下部引掛け部６３の前方側への移動が規制されるため、トッププレート５０のずれを防止できる。
【００３４】
また、図２に示すように、センサ支持プレート５３はフランジ部３０及び支持体４０に支持されて本体ケース１０側に設けられており、センサ支持プレート５３とセンサ制御基板４７との接続は、コネクタ４９によって本体ケース１０側で接続されている。さらに、センサ部５２は静電容量式のセンサであり、センサ部５２をトッププレート５０側に接続することなく、センサ部５２の上方に各操作キー部２７を配置するだけで入力操作が可能となる。これにより、センサ部５２を有するセンサ支持プレート５３とトッププレート５０との間に配線やコネクタ等の接続部が存在せず、センサ支持プレート５３を本体ケース１０側に着脱する際にセンサ支持プレート５３とセンサ制御基板４７との接続部が邪魔になることがないため、誘導加熱調理器１の組立て性及びメンテナンス性を向上できる。
【００３５】
図９は、誘導加熱調理器１の前面の部品を取り外した状態を示す斜視図である。
図９に示すように、下部化粧パネル３５Ａ（図１参照）を取り外した状態では、幅方向に延びるヒンジ２８によって回動自在に支持された操作部扉本体８０が露出する。また、上部化粧パネル３５Ｂを取り外した状態では、電源ボタン３６を支持するボタン支持板８１が露出する。
【００３６】
図１０は、操作部扉３４の近傍の側面断面図である。
操作部扉３４の奥側には、操作パネル２０を収納する箱状のパネル収納室８２が設けられている。操作パネル２０は、操作部扉本体８０の上部からパネル収納室８２内へ後下がりに傾斜して設けられ、操作部扉本体８０がヒンジ２８を中心に前方へ回動すると外側に露出する。操作パネル２０には、スイッチ及び表示用の液晶等の電気部品が設けられている。操作パネル２０の後端には突起状のストッパ２０Ａが形成されており、このストッパ２０Ａがパネル収納室８２の上部に設けられた凸部８３に当接することで操作部扉３４の開状態の回動位置が規制される。
【００３７】
操作部扉本体８０において下部化粧パネル３５Ａが取り付けられるパネル取付面８０Ａの上部には、下部化粧パネル３５Ａを支持する扉側引掛け部８４が形成されている。扉側引掛け部８４は、パネル取付面８０Ａから前方へ水平に延びた後、上方に折り曲げられて形成されている。
また、パネル取付面８０Ａの下部には、下部化粧パネル３５Ａを支持する扉側受け部８５が形成されている。扉側受け部８５は、パネル取付面８０Ａをパネル収納室８２の側に一段窪ませて形成された凹部であり、この凹部の下面は開口８５Ａとなっている。また、扉側受け部８５は、パネル取付面８０Ａの側に窪んだ係止部８５Ｂを有している。係止部８５Ｂは、操作部扉本体８０の裏面側において開口８５Ａの下方に位置している。
図９に示すように、これら扉側引掛け部８４及び扉側受け部８５は、操作部扉本体８０の幅方向に一列に並んで複数形成されている。
【００３８】
図１０に示すように、下部化粧パネル３５Ａの裏面側の上部には、扉側引掛け部８４を受けるパネル側受け部８６が形成されている。パネル側受け部８６は、下部化粧パネル３５Ａの裏面側から水平に突出した後、下方に折り曲げられて形成され、扉側引掛け部８４に上方から嵌合する。
また、下部化粧パネル３５Ａの裏面側の下部には、扉側受け部８５に嵌合するパネル側引掛け部８７が形成されている。パネル側引掛け部８７は、下部化粧パネル３５Ａの裏面側から水平に突出した後、下方に折り曲げられて形成され、その先端には、係止部８５Ｂに係合する係止突起８７Ａが形成されている。係止突起８７Ａは開口８５Ａを通って係止部８５Ｂに達する。
【００３９】
図１１は、図１０における扉側受け部８５の近傍の拡大図である。
図１１に示すように、係止部８５Ｂは、下部化粧パネル３５Ａ側に台形状に窪んで形成され、底に近づくほど上下の幅が狭くなり、平らな底部８８Ａと、上下の斜面部８８Ｂ、８８Ｃを有している。
パネル側引掛け部８７の係止突起８７Ａは、取り付け状態において係止部８５Ｂの側に突出して形成され、底部８８Ａ及び上側の斜面部８８Ｂに当接する部分が滑らかな曲面形状に形成された曲面部８９を有している。このように、曲面部８９を設けたため、係止部８５Ｂが、底部８８Ａ及び斜面部８８Ｂに過度に引っ掛かることを防止できる。
【００４０】
下部化粧パネル３５Ａを操作部扉本体８０に取り付ける手順としては、パネル側受け部８６を扉側引掛け部８４の上方に位置させると共に、パネル側引掛け部８７を扉側受け部８５内に位置させ、その後、下部化粧パネル３５Ａを下方にスライドさせれば良い。これにより、パネル側受け部８６が扉側引掛け部８４に嵌合されると共に、パネル側引掛け部８７の係止突起８７Ａが係止部８５Ｂに係合され、下部化粧パネル３５Ａが操作部扉本体８０に取り付けられる。このように、下部化粧パネル３５Ａは、下部化粧パネル３５Ａをスライドさせて引掛けるだけで取り付けでき、簡単に着脱できる。
【００４１】
また、操作パネル２０の近傍に位置する扉側引掛け部８４には開口を設けずに、操作パネル２０の下方の扉側受け部８５に開口８５Ａを設けたため、下部化粧パネル３５Ａに液体がかかったとしても、操作部扉本体８０側から操作パネル２０に液体が浸入することを防止でき、防水性を向上できる。
また、係止突起８７Ａに滑らかな曲面部８９を設けたため、係止突起８７Ａが係止部８５Ｂに過度に係合されることを防止でき、下部化粧パネル３５Ａを容易に着脱できる。
さらに、パネル側受け部８６、扉側引掛け部８４、パネル側引掛け部８７、及び、扉側受け部８５が操作部扉３４の内側に位置し、操作部扉３４を開けた状態においても外側から見えないため、外観性を向上できる。
【００４２】
図１０に示すように、パネル収納室８２の前側の上部には、上方に延出されたスイッチ保持部９０が設けられている。スイッチ保持部９０の前面側には、電源ボタン３６を保持するボタン保持板９１が固定されている。ボタン保持板９１はスイッチ保持部９０の側に窪んだボタン収容部９２を有し、電源ボタン３６はボタン収容部９２に収容されている。また、ボタン保持板９１の前面には上部化粧パネル３５Ｂが取り付けられている。
【００４３】
電源ボタン３６は円板状のボタンであり、その中央部にはスイッチ保持部９０側に延びる軸部３６Ａを有している。ボタン収容部９２には軸部３６Ａが挿通される支持孔９２Ａが形成されている。電源ボタン３６とボタン収容部９２との間には、軸部３６Ａに巻き付けるようにしてコイルばね９３が設けられている。電源ボタン３６は、コイルばね９３によって上部化粧パネル３５Ｂ側に付勢されており、上部化粧パネル３５Ｂには、電源ボタン３６を外側に露出させるボタン孔９４が形成されている。電源ボタン３６は、電源ボタン３６の周縁部に形成された受け部３６Ｂが、ボタン孔９４の縁部に当接することで受けられている。電源ボタン３６の前端部は、ボタン孔９４から外側に突出している。
【００４４】
スイッチ保持部９０には、軸部３６Ａと同軸のピン支持孔９５が形成されている。ピン支持孔９５には、軸部３６Ａの先端に当接するピン９６が支持されている。スイッチ保持部９０においてピン９６の奥側には、誘導加熱調理器１の電源のオンとオフとを切り替えるスイッチ本体９７が配置されている。スイッチ本体９７はコネクタ部９７Ａを介して制御基板７４に接続されている。
【００４５】
ピン９６は軸部３６Ａとは反対側の端に径方向に突出した鍔部９６Ａを有し、断面Ｔ字状に形成されている。鍔部９６Ａは、ピン支持孔９５のスイッチ本体９７側の端９５Ａに当接し、ピン９６の軸方向の位置を規制している。また、鍔部９６Ａは端９５Ａに当接することで、ピン支持孔９５とピン９６との間の隙間がスイッチ本体９７側に連通することを抑制している。
【００４６】
電源ボタン３６が操作されて押圧されると、軸部３６Ａを介してピン９６がスイッチ本体９７側に押圧され、スイッチ本体９７の切り替え操作が行われる。
このように、スイッチ本体９７の手前側にピン９６及び電源ボタン３６を設けることで、スイッチ本体９７を押圧する部分を２重構造にしたため、上部化粧パネル３５Ｂの側からスイッチ本体９７側へ液体や塵埃が侵入することを防止できる。また、鍔部９６Ａで端９５Ａを塞ぐことができるため、ピン支持孔９５を介してスイッチ本体９７側に液体や塵埃が侵入することを防止できる。
【００４７】
図１２は、誘導加熱調理器１の据付方法を示す側面断面図である。
図１２に示すように、誘導加熱調理器１は、システムキッチンの調理台１００に上方から嵌め込まれるようにして設置される。調理台１００は、誘導加熱調理器１が嵌め込まれる開口部１０１を有する支持台１０２と、支持台１０２の下方で誘導加熱調理器１が収納される収納部１０３とを備えている。
ここで、誘導加熱調理器１の調理台１００への据付手順を説明する。
まず、下部化粧パネル３５Ａ、上部化粧パネル３５Ｂ、電源ボタン３６、及び、グリル扉３３が取り付けられていない状態の誘導加熱調理器１を前傾させ、支持台１０２の上方から誘導加熱調理器１の下部を開口部１０１に通していき、支持台１０２の前部１０２Ａに凹部２９を嵌め込むようにし、その後、フランジ部３０、天板支持部１８、及び、後部支持部１７を支持台１０２の上面に当接させ、誘導加熱調理器１を収納部１０３に収納する。
次いで、収納部１０３の前側から、電源ボタン３６をボタン収容部９２に配置すると共に、上部化粧パネル３５Ｂをボタン保持板９１に取り付け、下部化粧パネル３５Ａを操作部扉本体８０に取り付ける。
【００４８】
このように、誘導加熱調理器１では、下部化粧パネル３５Ａ、上部化粧パネル３５Ｂ、及び、電源ボタン３６を調理台１００に収納した後に取り付けできるため、据付作業の際に、下部化粧パネル３５Ａ、上部化粧パネル３５Ｂ、及び、電源ボタン３６が支持台１０２の前部１０２Ａ等に当たって傷付くことを防止できる。
【００４９】
以上説明したように、本発明を適用した実施の形態によれば、本体ケース１０側に支持したセンサ支持プレート５３を、距離保持手段６０の弾性部材５６によってトッププレート５０側に付勢して、トッププレート５０の表面の操作キー部２７からセンサ部５２までの距離を略一定に保持できる。これにより、トッププレート５０の表面の操作キー部２７の操作をセンサ部５２によって安定して正しく検出することができる。また、センサ部５２が本体ケース１０側に支持されると共に本体ケース１０内に配置された制御基板７４に接続されているため、センサ部５２と制御基板７４との間の接続がトッププレート５０を本体ケース１０に取り付け及び取り外しする際に影響することが無く、誘導加熱調理器１の組立て性及びメンテナンス性を向上できる。また、本体ケース１０側にセンサ部５２を支持したため、トッププレート５０にセンサ部５２を支持させる必要が無く、トッププレート５０を簡単な構造にできる。
【００５０】
また、本体ケース１０側に設けられ、センサ支持プレート５３が載置されるフランジ部３０とセンサ支持プレート５３との間に弾性部材５６を介在させることでセンサ支持プレート５３をトッププレート５０側に付勢でき、弾性部材５６を介在させる簡単な構造でセンサ支持プレート５３を付勢して、操作キー部２７からセンサ部５２までの距離を略一定に保持できる。
【００５１】
また、誘導加熱コイル１１、１２、１３の制御情報を表示する液晶部３７を備えた支持体４０にセンサ支持プレート５３を支持するため、センサ支持プレート５３を支持するための専用の支持部材を設けることなく、センサ支持プレート５３を本体ケース１０側に支持できる。
【００５２】
さらに、ホールＩＣ３９を有する磁石支持プレート４１が、回転式操作部２５のツマミ２４を吸着可能なセンサ側磁石４２を備えると共に、センサ支持プレート５３を支持する支持体４０に浮き上がり可能に支持されているため、磁力によって磁石支持プレート４１がトッププレート５０を挟んでツマミ２４の磁石２４Ａに吸着される。これにより、ツマミ２４とホールＩＣ３９との間の距離を適正な距離に保つことができ、ツマミ２４の操作をホールＩＣ３９によって安定して正しく検出することができる。
【００５３】
また、トッププレート５０の前縁部５０Ａに設けられた外枠５１の下部引掛け部６３をフランジ部３０の爪部６１に引掛けるだけでトッププレート５０の前縁部５０Ａを簡単に固定でき、後縁部５０Ｂを天板支持部１８の固定孔１９を介して本体ケース１０にねじ止めして確実に固定し、トッププレート５０を本体ケース１０に簡単かつ確実に固定できる。また、下部引掛け部６３を爪部６１に引掛けてトッププレート５０の前縁部５０Ａを固定するため、ねじ等によって締め込み過ぎたりすることが無く、均一な力でトッププレート５０の前縁部５０Ａを固定できる。これにより、センサ支持プレート５３とフランジ部３０との間に位置する弾性部材５６を均一にトッププレート５０側に付勢でき、操作キー部２７からセンサ部５２までの距離を略一定に保持できる。
【００５４】
さらに、下部引掛け部６３及び爪部６１が、トッププレート５０の前縁部５０Ａで幅方向に一列に並んで配置されたセンサ部５２及び操作キー部２７に沿うように本体ケース１０の幅方向略一杯に形成されているため、一列に並ぶセンサ部５２の全体を弾性部材５６によって操作キー部２７の側に付勢でき、センサ部５２の全体に亘り、操作キー部２７からセンサ部５２までの距離を略一定に保持できる。
【００５５】
以上、実施形態に基づいて本発明を説明したが、本発明はこれに限定されるものではない。上記実施形態では、弾性部材５６はシリコーンゴム製であるものとして説明したが、本発明はこれに限定されるものではなく、例えば、天然ゴム等のその他のエラストマーを用いても良い。また、その他の誘導加熱調理器１の細部構成等についても任意に変更可能であることは勿論である。
【図面の簡単な説明】
【００５６】
【図１】本発明の実施形態に係る誘導加熱調理器を示す斜視図である。
【図２】トッププレートを外した状態を示す誘導加熱調理器の平面図である。
【図３】図２におけるＡ−Ａ断面図である。
【図４】操作・表示部本体の平面図である。
【図５】図２におけるＢ−Ｂ断面図である。
【図６】操作・表示部本体を前方の下方側から見た斜視図である。
【図７】センサ支持プレートを前方の下方側から見た斜視図である。
【図８】トッププレートの取り付け方法を示す断面図である。
【図９】誘導加熱調理器の前面の部品を取り外した状態を示す斜視図である。
【図１０】操作部扉の近傍の側面断面図である。
【図１１】図１０における扉側受け部の近傍の拡大図である。
【図１２】誘導加熱調理器の据付方法を示す側面断面図である。
【符号の説明】
【００５７】
１  誘導加熱調理器
１０  本体ケース（調理器本体）
１１、１２、１３  誘導加熱コイル
２１  操作部
２５  回転式操作部
３０  フランジ部
３７  液晶部（表示手段）
３９  ホールＩＣ（回転操作検出センサ）
４０  支持体
４１  磁石支持プレート
４２  センサ側磁石（磁石）
５０  トッププレート
５０Ａ  前縁部
５０Ｂ  後縁部
５２  センサ部
５３  センサ支持プレート
５６  弾性部材
６０  距離保持手段
６３  下部引掛け部（引掛け部）
７４  制御基板（制御部）
【図１】
2010277891.tif 000003
【図２】
2010277891.tif 000004
【図３】
2010277891.tif 000005
【図４】
2010277891.tif 000006
【図５】
2010277891.tif 000007
【図６】
2010277891.tif 000008
【図７】
2010277891.tif 000009
【図８】
2010277891.tif 000010
【図９】
2010277891.tif 000011
【図１０】
2010277891.tif 000012
【図１１】
2010277891.tif 000013
【図１２】
2010277891.tif 000014